(57)【特許請求の範囲】
【請求項１】
フライタイイングに使用されるボビンホルダーであって、二股状に形成される二本の支持アームの中央に設けた導管と、前記支持アーム端部にセットするボビンとの間に、前記ボビンから引き出される糸が、発泡ウレタン素材で成る弾性摩擦部材によって挟む糸抜け防止具を形成した構成を特徴とする釣り用ボビンホルダー。
【請求項２】
ボビンと導管との間に備える糸抜け防止具が、切れ目を施した弾性摩擦部材を納めた保持管と、前記導管が連接形成した構成である請求項１に記載の釣り用ボビンホルダー。
【請求項３】
ボビンと導管との間に備える糸抜け防止具が、二本の支持アームの中ほど部位に設けた保持板に、弾性摩擦部材、挟み板、締めネジの順に組み合わせて成る糸抜け防止具を形成した構成である、請求項１又は請求項２に記載の釣り用ボビンホルダー。
【発明の詳細な説明】
【０００１】
【発明が属する技術分野】
本発明は、釣り具の一つであるフライ（毛針）を、手作りで製造するために使用される機能的な糸抜け防止具を備えたボビンホルダーに関する。
【０００２】
【従来の技術】
従来より、生き餌を使わない釣り針としてフライ（疑似餌針ないし毛針とも称す）があり、近年はとりわけこのフライ釣りを愛用する者も増えている。さらに熱心な者になると、自分の好みのフライを手作りで製作するフライタイイングも盛んになっており、そのために欠かせない用具の一つに、加工の際に用いられる糸を巻いたボビン（糸巻き）を二本のバネ板（棒）から成るＶ字状のホルダーにセットし、必要な分の糸を順次導管より引き出して使えるボビンホルダーがあり、愛好者はこれらの加工道具と鳥の羽根や獣毛を等を用いながら、自分のこだわりに沿った様々なフライを作っている。
【０００３】
さらに公知公開される中にもボビンホルダーに関する技術がある。その一例として特開平１１−１６９０４９号による図７に示すような、釣り具加工用ボビンホルダーおよび糸絡み防止部材なる技術がある。さらに詳述すると、このボビンホルダーは、従来一般的に提供されているタイプのボビンホルダーに於ける、導管とボビンとの間に糸絡み防止部材を備えたものであり、その手段としては、導管から延長する二本のバネ性を有するアーム部に、二つのアーム部を掛け渡す長さで成る上側部材と下側部材とで挟むようにして留められた前記上側部材面に、ステンレス等による棒材を位置した一端部を、前記した上側部材端部に固定した糸絡み防止部材を備えたボビンホルダーの技術である。このボビンホルダーに糸をセットする際は、ボビンから引き延ばされた糸を開放側の棒材端部より中央部位まで差し入れて、上側部材の溝部と棒材で挟み合せるようにした糸絡み防止部材を介して導管に通すことにより、ボビンから引き出される糸に対して適宜に摩擦を与えられ、かつフライタイイング時に糸が切れても絡むことなく使えるボビンホルダーの技術である。
【０００４】
【発明が解決しようとする課題】
以上のような釣り用のボビンホルダーが提供されており、手作りでフライを作る際の加工作業に便利に使える道具である。しかしそれぞれ一定の機能を有するものであるが、実際の加工作業に使うについては次のような不便や欠点がある。まず従来よりあるボビンホルダーは、Ｖ字状のアームの中央部に導管を備えた前記アームの端部にボビンをセットした糸を、導管より順次引き出しながらフライタイイングが行なえる、構成部材も比較的少ないシンプルな加工道具である。しかし、このボビンホルダーの導管より引き出される糸を使いながらフライタイイングの際に糸が切れた場合は、ボビンホルダーとの反発力により導管より抜け戻されたり、また切れた糸が両サイドのＶ字アームやボビンなどに絡み付いたりする欠点があった。加えて切れた糸を再び導管に通すには、そのつど別体のボビンスレッダー（糸通し具）を使用しながら、再度糸をセットし直さなければならないのでたいへん面倒でもあり不便であった。
【０００５】
さらに公知公開される特開平１１−１６９０４９号に示す技術は、前記ボビンホルダーが持つ不便や欠点を解消する糸絡み防止部材を備え、それなりに目的とする一定の糸絡み防止の効果を期待できる。しかしこの技術に於いても次のような不便や欠点がある。まずこのボビンホルダーの二本のアーム部の間に備える糸絡み防止部材は、一定の長さの下側部材と上側部材とで前記した二本のアーム部で挟み止め、さらに、前記上側部材の上面に施した溝部には、ステンレス等で成る棒材を位置させた端部を上側部材に固定して形成される糸絡み防止部材であり、ボビンから繰り出される糸は、この棒材と溝部との間をＳ字状に屈曲しながら引き出される手段であり、確かに糸には一定の摩擦を与えることができる。しかし糸が接触する上側部材とステンレスはいずれも硬い素材であることと、摩擦を与える手段が溝部に納めたステンレスとの間を無理に屈曲させるので、その間が狭すぎると糸に負荷が掛かりすぎて切れやすいし、また広すぎると糸に与える摩擦効果が少なくなるなどの欠点がある。加えて硬いステンレス素材であるので、糸の太さに柔軟に対応する微妙な調節はきわめて難しい糸絡み防止部材である。さらにこの糸絡み防止部材は、導管の入口より離れた場所に位置してフリー状態になるので、糸が垂れ下がって糸絡みが起こるなどの欠点がある。
【０００６】
【課題を解決するための手段】
本発明は、以上のような従来のボビンホルダーがもつ不便や欠点を解消するために成されるものである。その手段としては、バネ性を有する二つの板や棒の端部にセットされたボビンから導管に至る糸に対して、ウレタン素材等による弾性摩擦部材で挟むようにして引き出すことで糸が切れにく、かつ切れても導管より抜け落ちたり絡まないものとするために、一つのタイプは導管の入口に糸を挟むための切れ目付き弾性摩擦部材を設け、二つ目は前記ボビンホルダーと導管の中ほど部位に、二つのウレタンマットと挟み板、締めネジで糸を挟める糸抜け防止部材を備えたボビンホルダーを構成することで、糸に与える摩擦抵抗を柔軟にして切れにくく、かつ切れてもセットしやすいことに加えて、糸に発水処理などをを自動的に施せる機能も有する釣り用ボビンホルダーを構成するものである。
【０００７】
【発明の実施の形態】
本発明による実施例１のボビンホルダー１に設ける糸抜け防止具１０は、発泡ウレタン素材などによる部材に、切れ目８を付けた弾性摩擦部材９を保持管４に収納した構成であり、他方、実施例２に示す糸抜け防止具１０ａは、保持板１３と挟み板１５の間に挟んだ二つの弾性摩擦部材９ａ，９ｂを締めネジ１６で固定する方式であるので、作業時にボビンＢから繰り出される糸Ａは、実施例１に於いては保持管４の弾性摩擦部材９の切れ目８に挟まれる状態で導管６より引き出される。また実施例２に於いては、二つの弾性摩擦部材９ａ，９ｂの合わせ目Ｄより引き出される。したがって引き出される糸Ａに加わる圧力は弾性摩擦部材でもあるので、引き出される糸Ａが左右に移動しても柔軟に対応し、かつ適度にテンションの吸収もするので糸は切れにく絡みにくい。
【０００８】
また仮に切れた場合でも、実施例１タイプは弾性摩擦部材９で挟み保持するので導管６より抜け落ちる心配はない。さらに実施例２タイプは、手で回せる締めネジ１６と挟み板１５を取り外した上で、二つの弾性摩擦材９ａ，９ｂの間に糸Ａを挟んでから、再び挟み板１５と締めネジ１６で止め直すだけで糸Ａを容易にセットできる。加えて糸Ａに発水剤Ｃなどを施す必要がある場合は、いずれも図６に示すように弾性摩擦部材９及び９ａ，９ｂ面を上方向に向けてから１〜２滴の発水剤Ｃや浸水剤、ワックス液などを垂らした上で使用すると、導管６から引き出される糸Ａには、自動的にして均一に発水剤Ｃや各種の処理液をコーティングすることが可能である。
【０００９】
【実施例】
実施例１
本発明の実施例１を図１に示す要部分解斜視図と図２の糸を導管にセットした状態を示す断面図及び図３に示すＥ−Ｅ線拡大断面図並びに図６に示す発水剤の塗布例図を参照して説明する。。
実施例１に示すボビンホルダー１は、従来より知られるタイプと同様に、バネ性がある素材をＶ字又はＵ字形の二股状に曲げ形成した支持アーム２，２の両端部に挟持具３，３を有するものとし、かつ前記折り曲げ部の中央部には、適度な大きさの保持管４の一方に有するネジ管５に細い導管６を設けたものが、前記支持アーム２の中央折り曲げ部内側に前記保持管４を、外側に導管６が位置するように支持アーム２を介してナット７で締め付けて固定する。さらに前記保持管４には、発泡ウレタン素材による部材の、長手方向の一面部より中心部に至る切れ目８を施した弾性摩擦部材９を納めて成る糸抜け防止具１０を形成して、実施例１のボビンホルダー１を構成している。
【００１０】
本実施例は以上のような構成を成すボビンホルダー１であり、使用時にはボビンホルダー１の両端部にある挟持具３，３間に、フライの加工時に使用する糸Ａを巻き付けたボビンＢがセットされて、順次導管６より糸Ａが引き出される。
尚、糸Ａを糸抜け防止具１０にセットする場合は、予め前記保持管４に納めてある弾性摩擦部材９を抜き取った上で、糸Ａを切れ目８より中央部まで差し入れた後に、糸Ａを先に導管６に通しながら弾性摩擦部材９を保持管４に再度納めることで糸Ａのセットが完了する。さらに糸Ａに発水剤Ｃなどを塗布する必要がある場合は、図６に示すようにボビンホルダー１の保持具４に納めた弾性摩擦部材９に１〜２滴の発水剤Ｃや処理液を垂らす。
【００１１】
実施例２
本発明の実施例２を図４に示す要部分解斜視図と図５に示す糸抜け防止具に糸セット例図を参照しながら説明する。
実施例２に示すボビンホルダー１の基本は前記実施例と同じであるが、それに設ける糸抜け防止具１０ａの形態が多少異なる。まずバネ性を有する二股状の支持アーム２，２の両端部に挟持具３，３を備え、かつＶ字状に折り曲げられた中央部に基部１１を設けた上で、その基部１１及び支持アーム２を貫通して成る細い導管６を設ける。以上のように形成された前記二本の支持アーム２，２の中ほど部位には、二つの支持アーム２に掛け渡す長さのネジ穴１２付き保持板１３が固定され、かつその上面には、一定の厚さで成る発泡ウレタンを素材とする部材面に二つの貫通穴１４，１４を設けて、単独に形成される二つの弾性摩擦部材９ａ，９ｂを順次重ねてから、貫通穴１４付き挟み板１５及び手で回せる締めネジ１６で挟み止めて成る糸抜け防止具１０ａを形成して、実施例２のボビンホルダー１を構成する。
【００１２】
本実施例のボビンホルダー１にセットされたボビンＢの糸Ａを導管６に通す場合は、予め糸抜け防止具１０ａの挟み板１５と締めネジ１６を取り外した上で、上下二つの弾性摩擦部材９ａ，９ｂとの間に、糸Ａを挟み込んでから再度保持板１３面に戻してから、挟み板１５と締めネジ１６で軽く締め付けると、ボビンＢからの糸Ａを糸抜け防止具１０ａにセット完了する。
【００１３】
以上のようなボビンホルダー１を構成しているが、各実施例に示した弾性摩擦部材９及び９ａ，９ｂは発泡ウレタン素材を採用しているが、これ以外にゴムや他の摩擦素材を用いてもよい。また実施例２の糸抜け防止具１０ａは、二つの弾性摩擦部材９ａ，９ｂで挟む方式であるが、厚い発泡ウレタン部材に切れ目を施した一つの弾性摩擦部材を保持板１３に備えたものであってもよいし、また弾性摩擦部材が動かない手段であれば、挟み板１５や閉めネジ１６を必ずしも設けなくてよく、いずれも特に限定するものではない。
【００１４】
【発明の効果】
本発明のボビンホルダーは以上のような構成としているので、従来に見られない次のような特長や効果を提供する。
まず本発明に於けるボビンホルダーには、ウレタンなどの弾性摩擦部材を採用した機能的な糸抜け防止具を設けているので、引き出される糸には柔軟にして適度な摩擦によるテンションを与えられる。したがってフライタイイング時に細い糸であっても切れる要因を大幅に軽減することが可能となる。また仮に作業時に糸が切れても、実施例１タイプは導管に連接される保持管のウレタン等により挟み保持さられるので、切れた糸が導管から抜け落ちる心配は無く、スレッダーを用いて再度セットする面倒もない。他方、実施例２タイプは、糸抜け防止具がボビンと導管の間に位置しているので、糸が切れた場合は導管より抜けることもあるが、その場合は締めネジを指で回して挟み板を取り外してから、再度糸をセットし直すだけでよいので道具も必要なく簡単にセットし直せる。加えて実施例２タイプは締めネジ固定方式であるので、糸に与えるテンションの度合いも締めネジによって容易に調節することができる糸抜け防止具である。
【００１５】
さらに発水剤や浸水剤、ワックス処理を施したフライを必要とする場合は、いずれのホルダーの場合でも、上方向に向けた弾性摩擦部材面に発水剤などを１〜２滴垂らした上で使用すると、導管より引き出される糸には自動的にして均一に発水剤や浸水剤などによるコーティングすることができるので、完成した後に一々フライに発水剤や浸水剤などの処理を施す場合のような手間や面倒を省ける。また構成部材も少ないので故障要因も少なく、コストの面でもユーザーに負担を与えない範囲で提供できるボビンホルダーである。
【図面の簡単な説明】
【図１】本発明の実施例１を示す要部分解斜視図。
【図２】実施例１の導管に糸をセットした状態を示す断面図。
【図３】実施例１のＥ−Ｅ線拡大断面図。
【図４】本発明の実施例２を示す要部分解斜視図。
【図５】実施例２の糸抜け防止具及び糸のセット例斜視図。
【図６】実施例１にセットした糸に発水剤を塗布する状態を示す斜視図。
【図７】従来技術を示す斜視図。
【符号の説明】
１・・・・ボビンホルダー
２・・・・支持アーム
３・・・・挟持具
４・・・・保持管
５・・・・ネジ管
６・・・・導管
７・・・・ナット
８・・・・切れ目
９・・・・弾性摩擦部材
９ａ・・・弾性摩擦部材
９ｂ・・・弾性摩擦部材
１０・・・糸抜け防止具
１０ａ・・糸抜け防止具
１１・・・基部
１２・・・ネジ穴
１３・・・保持板
１４・・・貫通穴
１５・・・挟み板
１６・・・締めネジ
Ａ・・・・糸
Ｂ・・・・ボビン
Ｃ・・・・発水剤
Ｄ・・・・合わせ目
【図１】
0004242543.tif 000002
【図２】
0004242543.tif 000003
【図３】
0004242543.tif 000004
【図４】
0004242543.tif 000005
【図５】
0004242543.tif 000006
【図６】
0004242543.tif 000007
【図７】
0004242543.tif 000008